(57)【要約】【課題】本発明は、電時における遊技場の避難経路の照度を高めることで、迅速且つ安全な避難経路を確保することができる遊技場の避難用設備を提供することを目的とした。【解決手段】遊技場の避難用設備は、遊技場における遊技者が通行する通路において、蓄光成分により発光する発光部材１を有している。蓄光成分は、光による刺激を受けてエネルギーを蓄えて、そのエネルギーを光として放出するものである。そして、その発光部材１は、蓄光成分による光が通路の床面近傍を照射するように、複数の遊技機３０により構成された複数の遊技島３１のうちの少なくとも１つの遊技島３１に固定されている。【選択図】図２
2012115402.tif 000002
【特許請求の範囲】
【請求項１】
遊技場は、１又は複数の遊技機により構成された複数の遊技機群と、遊技者が通行する通路と、蓄光成分により発光する発光部材を有し、
少なくとも１つの遊技機群に、発光部材が設置され、当該発光部材は通路の床面近傍を照射するような配置であることを特徴とする遊技場の避難用設備。
【請求項２】
遊技機群は、遊技機の設置位置より低い位置の壁面を形成する腰板を有し、
腰板の位置に発光部材が設けられていることを特徴とする請求項１に記載の遊技場の避難用設備。
【請求項３】
遊技者が通行する通路は、２以上の遊技機群あるいは１以上の遊技機群と遊技場を形成するいずれかの壁面によって形成されており、
いずれの通路においても少なくとも１つの遊技機群に発光部材が設けられていることを特徴とする請求項１又は２に記載の遊技場の避難用設備。
【請求項４】
一部又は全部の遊技機群に設置された発光部材は、避難経路を案内し得る形状に加工されていることを特徴とする請求項１乃至３のいずれかに記載の遊技場の避難用設備。
【発明の詳細な説明】
【技術分野】
【０００１】
本発明は、遊技場における避難用設備に関するものであり、特に遊技場から避難するための通路の状況を認識可能な避難用設備に関する。
【背景技術】
【０００２】
百貨店や遊技場等の特殊建築物においては、地震や雷等の天災やその他の災害等に起因した停電の際に、避難経路が確保できるように、誘導灯（消防法）や非常灯（建築基準法）の設置が義務づけられている。
【０００３】
この誘導灯や非常灯は、通常、建物の構造体（間仕切り壁を含む壁面や天井等）に設置されるものであり、特に、非常灯に関しては、建築基準法により、停電時の床面近傍において１ルクス以上の照度を保たなければならないとされている。
例えば、この種の非常灯の技術が特許文献１に開示されている。
なお、特許文献１の非常灯は、非常時などにおいて、電力供給が停止した際に、具備された蓄電池により点灯動作が実行される構成とされている。
【０００４】
ところで、遊技場においては、ホールスタッフの作業性や「ゴト行為」等の防犯上の観点から、空間を仕切る間仕切り壁が殆ど形成されておらず、そのような空間内に複数のパチンコ機やスロット機が群を成した遊技島が複数形成されている。そして、この種の遊技場においては、遊技島同士が所定の間隔を空けて配置されており、その間隔をホールスタッフや遊技者等が通行する通路として利用している。
そのため、遊技場で不測の事態により停電が生じた場合は、遊技島同士あるいは遊技島と遊技場を形成する壁面の間に形成された通路（以下、単に通路とも言う）が避難経路として利用され、遊技者等はその避難経路を通じて場外に避難する。
【先行技術文献】
【特許文献】
【０００５】
【特許文献１】特開平５−１５２０８０号公報
【発明の概要】
【発明が解決しようとする課題】
【０００６】
しかしながら、現状の遊技場においては、設置された非常灯が建築基準法による基準を満たしていても、前記した通路が安全に避難できる避難経路として機能し得ない場合があった。
【０００７】
即ち、遊技場では、パチンコ機やスロット機において大当たりが当選して、遊技球（以下、単に玉と言う）や遊技メダル（以下、単にメダルと言う）が所定数排出されると、遊技機における受け皿から溢れた玉やメダルが貯留箱に貯留され、その貯留箱は通路上に並べられて遊技場における出玉（又は出メダル）演出の一貫とされる。
なお、このような風景は、遊技場の通常の風景であって、遊技者等の気持ちを高揚させる等のための営業手法の一種である。
【０００８】
そのため、遊技場においては、たとえ一般照明による明かりが充実して、通路の状況を把握し易い状況であったとしても、通路に貯留箱が並べられていれば、貯留箱を避けながら通行しなければならないため、通路を通過し終えるには、若干の時間を要する。ましてや、不測の事態で停電が生じた場合であれば、非常灯が点灯したとしても、足元を照らす照度が一般照明の場合より低くなるため、通路の状況判断に時間が掛かり、避難に要する時間が過度に増加してしまう懸念がある。
【０００９】
また、避難者によっては、大きな不安から通路の状況判断が行えなくなって、パニック状態に陥る場合があり、その場合、通路に並べられた貯留箱を転倒させて玉をまき散らし、避難に要する時間をさらに増加させてしまう懸念がある。さらにこの場合においては、通路にまき散らした玉によって、後続の避難者までも巻き込んでしまい、最悪の場合、後続の避難者が命を落としてしまう場合が考えられる。このように、遊技場においては、不測の事態で停電となれば、避難経路の足元側の照度が低い上、貯留箱及びその貯留箱に貯留された玉やメダルが避難経路の障害物となり得るため、遊技者等は安全に避難することが困難な場合があった。
【００１０】
そこで、本発明では、従来技術の問題に鑑み、停電時における遊技場の避難経路の照度を高めることで、迅速且つ安全な避難経路を確保することができる遊技場の避難用設備を提供することを目的とする。
【課題を解決するための手段】
【００１１】
上記課題を解決するため、請求項１に記載の発明は、遊技場は、１又は複数の遊技機により構成された複数の遊技機群と、遊技者が通行する通路と、蓄光成分により発光する発光部材を有し、少なくとも１つの遊技機群に、発光部材が設置され、当該発光部材は通路の床面近傍を照射するような配置であることを特徴とする遊技場の避難用設備である。
【００１２】
ここで、先にも説明したが、遊技場等の特殊建築物においては、建築基準法に基づいて非常灯の設置が義務づけられており（以下、義務非常灯と言う）、その義務非常灯は通常、構造体（壁面や天井等）に設けられているが、遊技場においては建築基準法を満たしている場合であっても、避難経路の照度が不十分と感じる場合があり、迅速且つ安全に避難させることが困難な場合があった。
そこで、本発明の遊技場の避難用設備は、遊技場を構成する少なくとも１つの遊技機群に発光部材を設ける構成とした。これにより、発光部材を備えた遊技機群によって形成された通路を、停電時においては、義務非常灯に加えて、発光部材によっても照らすことができるため、停電時における照明効果を高めることができる。また、発光部材の光軸が遊技場の床面近傍を通過するように配されているため、通路の床面の状況が容易に認識できる。即ち、停電時において、避難経路の床面の照度を確実に高めることができるため、避難時の安全性を向上させることができる。
従って、本発明は、不測の事態で停電が発生した際に、通路の床面の照度を向上させることができるため、避難経路における障害物の有無などの状況判断がし易くなり、迅速且つ安全な避難を行うことを可能とする。
【００１３】
請求項２に記載の発明は、遊技機群は、遊技機の設置位置より低い位置の壁面を形成する腰板を有し、腰板の位置に発光部材が設けられていることを特徴とする請求項１に記載の遊技場の避難用設備である。
【００１４】
かかる構成によれば、遊技機群を構成する遊技機の設置位置より低位置の腰板の位置に発光部材が配されているため、天井や他の壁面等の高位置に配する場合より、光の拡散量が少なくなる。即ち、本発明によれば、発光部材の輝度がほぼ同一であっても、床面に至るまでに拡散される光量が減じるため、床面近傍を照らすという観点からすれば、照明効率を向上できる構成である。即ち、例えば、蓄光成分の発光が燐光で、経時的に照度が減じる場合であっても、より長期間に渡って床面の状況を把握できる程度の照度を維持することができる。
なお、ここで言う「燐光」とは、蓄光成分を構成する分子（原子）が、励起三重項状態から基底状態に戻る際に発するエネルギーのことである。
【００１５】
請求項３に記載の発明は、遊技者が通行する通路は、２以上の遊技機群あるいは１以上の遊技機群と遊技場を形成するいずれかの壁面によって形成されており、いずれの通路においても少なくとも１つの遊技機群に発光部材が設けられていることを特徴とする請求項１又は２に記載の遊技場の避難用設備である。
【００１６】
かかる構成によれば、遊技場のいずれの通路においても少なくとも１つの遊技機群があり、その通路における少なくとも１つの遊技機群に発光部材が配されているため、停電時においては、いずれの通路であっても発光部材によって、床面における状況判断がし得る程度の照度が確保される。即ち、本発明によれば、遊技場において遊技者が密集した状況であっても、各通路が状況判断し得る程度の照度を確保した避難経路として機能するため、遊技者を各通路に分散させて迅速且つ安全に避難させることができる。これにより、本発明によれば、不測の事態で停電が発生した際に、遊技者をより迅速且つより安全に避難させることができる。
【００１７】
請求項４に記載の発明は、一部又は全部の遊技機群に設置された発光部材は、避難経路を案内し得る形状に加工されていることを特徴とする請求項１乃至３のいずれかに記載の遊技場の避難用設備である。
【００１８】
かかる構成によれば、一部又は全部の遊技機群に設置された発光部材の形状が避難経路を案内し得る形状に加工されているため、避難する際に要する時間を短縮することができる。即ち、本発明によれば、停電の際に、より迅速且つより安全に避難可能な避難経路を提供することができる。
【発明の効果】
【００１９】
本発明の遊技場の避難用設備では、建築基準法に基づいて設置された義務非常灯に加えて、遊技場における遊技者が通行する通路であって少なくとも１つの遊技機群に発光部材が設けられており、停電の際に、義務非常灯による照明に加えて、発光部材が通路の床面近傍に向けて照射するため、停電時において迅速且つ安全に避難できる避難経路を確保することができる。
【図面の簡単な説明】
【００２０】
【図１】本実施形態に係る遊技場の避難用設備が備えられる遊技場を示す平面図である。
【図２】図１の遊技場に設置された遊技島を示すＡ方向矢視図である。
【図３】図２の遊技島の主に要部を断面にしたＢ−Ｂ断面図である。
【図４】図１の遊技島のＣ方向矢視図であって、一部を断面にした図である。
【図５】図２の遊技島のＤ方向矢視図である。
【図６】発光部材の分解斜視図である。
【図７】避難経路を案内し得る形状に加工された発光部材を示す正面図である。
【図８】遮蔽手段を備えた保護ケースを示す斜視図である。
【図９】図８の保護ケースの一部を破断した斜視図である。
【発明を実施するための形態】
【００２１】
以下に、本実施形態に係る遊技場の避難用設備について説明する。
本実施形態の遊技場の避難用設備は、パチンコ機やスロット機等の遊技機３０を１つの群とした所謂遊技島３１に形成した構成である。そこで、以下の説明においては、理解を容易にするために、１つの遊技島３１に注目して説明する。
【００２２】
遊技島３１においては、図２に示すように、所定台数分の遊技機取付部３２が設けられており、その各遊技機取付部３２に１台ずつ遊技機３０が設置されている。具体的には、本実施形態における遊技島３１では、各列（図１の正面に１列と背面（図示しない）に１列）に５台ずつの遊技機３０が並設されている。そして、図１、２に示すように、各遊技機３０に対向する位置に遊技者が着座可能な椅子３９が１脚ずつ配置されている。
【００２３】
なお、遊技島３１の内部においては、柱や梁などの構造体の他、各遊技機３０に遊技媒体（玉やメダル）を搬送する遊技媒体搬送装置（図示しない）、各遊技機３０から回収された遊技媒体が一時的に貯留される貯留タンク（図示しない）、回収された遊技媒体の汚れを除去し磨く遊技媒体研磨装置（図示しない）等の遊技機３０を動作させる際に関連する機器が配されているが、本発明においては特に関係がないため説明を省略する。
【００２４】
また、遊技島３１の外部においては、内部構造を目隠しするように、外壁として化粧板等が設けられている。具体的には、化粧板は遊技機取付部３２を除く箇所に設けられており、図３に示すように、遊技場の天井側から、天板３４、幕板３５、ランプ板３６、腰板３３、幅木３７とされている。
【００２５】
ところで、従来の遊技場では、先にも説明したように、不測の事態で停電が発生した場合、建築基準法に基づいて設置された非常灯（以下、義務非常灯と称す）や消防法に基づいて設置された誘導灯が、遊技場から場外に避難するための照明機能や案内機能として機能するシステムが備えられている。
【００２６】
しかしながら、遊技場において、建築基準法を満たすように義務非常灯が設けられたとしても、停電時における最低限の照明が確保されるだけであるため、迅速且つ安全に避難できない問題があった。即ち、停電時に義務非常灯の明かりだけで避難しようとした場合、避難者は通路があるということは認識できるが、その通路（例えば、対向する遊技島同士に挟まれた通路）における障害物（例えば、玉やメダルが貯留される貯留容器）の有無などの状況を把握できる程の照度を確保すことができない場合があり、その場合結果として、通路の状況を把握することなく避難行動が取られてしまう。そのため、図４に示すように、通路上に障害物が存在した場合、避難の際に、その通路を通過するために要する時間が必要以上に掛かり、最悪の場合、避難し遅れて命に危険を及ぼしてしまう場合があった。
【００２７】
そこで、本実施形態では、図３に示すように、各遊技島３１における２列の腰板３３のそれぞれに発光部材１を取り付けた構成とされている。
以下に、発光部材１について説明する。
【００２８】
本実施形態で採用された発光部材１は、長方形状のパネル体で、図６に示すように、光を透過する保護ケース５と、蓄光成分を有する発光層６と、基板層７とにより構成されている。なお、発光層６は、図６に示す網掛け部分であり、基板層７に塗布して形成される層である。即ち、実質的には基板層７の発光層６側を覆うように保護ケース５が取り付けられる。
なお、発光層６の蓄光成分としては、「光ルミネセンス」による性質により発光する硫化亜鉛系、アルミン酸ストロンチウム系等が挙げられる。
【００２９】
ここで、「光ルミネセンス」について付言しておく。
光ルミネセンスとは、基底状態の安定した分子（原子）が、光による刺激を受けることで励起状態（非平衡状態）に向けてエネルギーを蓄え、光の刺激がなくなれば再び基底状態に戻るべく、励起状態における過剰なエネルギーを光として放出する現象のことである。即ち、本実施形態では、発光部材１が光の刺激以外でエネルギーが蓄えられることがなく、光の刺激がなければ光を放つこともない。
【００３０】
また、発光部材１は、基板層７に両面テープが貼付あるいは接着剤が塗布されて、遊技島３１の列ごとに６箇所ずつ設けられている。具体的には、この発光部材１は、図３に示すように、遊技島３１における遊技機３０よりも下方に位置する腰板３３に配されており、発光層６から放たれる光の光軸が遊技場の床面に対して水平あるいは交差する方向に向けられて腰板３３に固定されている。そして、６箇所の発光部材１はそれぞれ、図５に示すように、遊技島３１における並設された遊技機３０を正面視した際に、隣接する発光部材１同士が所定の間隔を空けた配置とされている。具体的には、各発光部材１は、遊技機３０を正面視した際に、椅子３９と重なることがない配置とされている。即ち、本実施形態においては、発光部材１の照射方向に椅子３９が存在しないため、効率的な照明効果が期待できる。
【００３１】
なお、本実施形態では、発光部材１の大きさが２種類用意されている。即ち、遊技島３１における各発光部材１の大きさは、図５に示すように、椅子３９同士の間に位置するもの（１列に注目すると両側の発光部材を除いた４箇所の発光部材１ａ）がほぼ同一の大きさに設定されており、その他のもの（両側に位置する２箇所の発光部材１ｂ）がほぼ同一の大きさに設定されている。
【００３２】
以上のように、本実施形態の遊技場の避難用設備によれば、遊技者等が通行する通路を形成する遊技島３１の腰板３３に発光部材１を取り付けたため、不測の事態で停電が発生した場合に、通路の床面近傍を明るく照らすことができる。これにより、建築基準法に基づいて設置された義務非常灯の照明に加えて、遊技場の床面近傍を照射する発光部材１による照明効果が期待できるため、避難の際に通路の状況を容易に認識させることを可能とする。即ち、本実施形態では、停電の状況で避難する場合に、通路に並べられた貯留容器等の障害物の存在の有無を容易に認識させることができるため、図４に示すように、通路上に障害物があったとしても、遊技者等が迅速且つ安全に避難することを可能とする。
また、結果として、避難者が玉やメダルが貯留された貯留容器を転倒させる可能性が低下し、先行の避難者の不備が後続の避難者の避難行動を妨げるようなことが防止されるため、後続の避難者に対しても、迅速且つ安全に避難できる避難環境を提供することが可能となる。
【００３３】
上記実施形態では、長方形状の発光部材１を備えた構成を示したが、本発明ではこれに限定されず、例えば、図７に示すように、発光部材を矢印状に形成して、その矢印状の発光部材５１によって遊技場の場外に導くような構成であっても構わない。これによれば、照明効果に加えて、避難方向を案内する案内効果が備わるため、避難の方向が即座に判断でき、避難の際により迅速に行動することができる。
【００３４】
上記実施形態では、停電時に関わらず、単なる閉店後の暗闇であっても発光部材１が発光して遊技場内を照らす構成を示したが、本発明はこれに限定されず、停電時以外の場合には照明機能を果たし得ないように、発光した光を遮蔽する遮蔽手段を備えた構成であっても構わない。即ち、例えば、発光部材の保護ケースに遮蔽手段を設ける構成とすることができる。具体的には、図８、９に示すように、保護ケース５２に設けられた遮蔽手段５３は、ロール状に収納可能な遮蔽シート５５と、遮蔽シート５５に取り付けられた操作部５６が備えられ、操作部５６を必要に応じて操作して、遮蔽シート５５を平面状に引き伸ばしたり、ロール状に収納できる構成とする。そして、保護ケース５２の側面に、遮蔽手段５３の操作部５６の一部を露出させる操作開口５７を形成し、その操作開口５７の領域内で操作部５６を操作できる構成とする。さらに、操作開口５７に、操作部５６を係合できる被係合部５８を設けておくことで、遮蔽シート５５を引き伸ばした状態に維持することが可能となる。
【００３５】
即ち、この構成によれば、操作部５６を操作して遮蔽シート５５を引き伸ばした状態にすることで、発光層６が遮蔽シート５５によって覆われた状態となるため、発光層６の光を遮蔽することができる。これにより、閉店後、遮蔽シート５５を引き伸ばした状態にしておくだけで、無駄に通路を照らしてしまうということを阻止することができる。これにより、閉店後、無人の遊技場内で、発光部材の光によって形成される奇妙な光景がなくなる。
なお、この種の遮蔽手段は、発光部材に設けることに限らず、腰板３３等の遊技島３１に設けても同様の効果を期待できる。
【００３６】
上記実施形態では、遊技場における全ての遊技島３１に発光部材１を取り付けた構成を示したが、遊技場における一部の遊技島３１に発光部材１を取り付けた構成であっても構わない。即ち、遊技場の出入り口に繋がる少なくとも１つの遊技島３１に発光部材１を取り付ける構成や、通路が２つ以上の遊技島３１が向かい合って形成されている場合には、その向かい合った遊技島３１のうちの少なくとも１つの遊技島３１に発光部材１を取り付ける構成であっても構わない。
【００３７】
上記実施形態では、腰板３３に発光部材１を取り付けた構成を示したが、本発明はこれに限定されず、例えば、上記実施形態の構成に加えて又は替えて、遊技島３１の長手方向端部における妻板（図２）３８や腰板３３より低位置にある幅木３７に発光部材１を取り付ける構成であっても構わない。
【００３８】
また、上記実施形態では、遊技島３１の各列に複数の発光部材１を取り付ける構成を示したが、本発明ではこれに限定されず、例えば、遊技島３１の遊技機３０の並設方向に沿って形成された帯状の発光部材を各列に１つずつ取り付ける構成であっても構わない。
【００３９】
上記実施形態では、遊技島３１が複数の遊技機３０が設置されて形成された構成を示したが、本発明ではこれに限定されず、遊技島は１つの遊技機３０により形成されても構わない。
【符号の説明】
【００４０】
１、５１    発光部材
３０    遊技機
３１    遊技島（遊技機群）
３３    腰板
【図１】
2012115402.tif 000003
【図２】
2012115402.tif 000004
【図３】
2012115402.tif 000005
【図４】
2012115402.tif 000006
【図５】
2012115402.tif 000007
【図６】
2012115402.tif 000008
【図７】
2012115402.tif 000009
【図８】
2012115402.tif 000010
【図９】
2012115402.tif 000011